【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
複数のサブキャリアを含んだ周波数ブロックが周波数方向に複数配置されることによって、システム帯域が形成されており、システム帯域に制御情報をマッピングする第１マッピング部と、
システム帯域を形成している複数の周波数ブロックのうちの少なくともひとつに、データをマッピングする第２マッピング部と、
前記第１マッピング部においてマッピングした制御情報および前記第２マッピング部においてマッピングしたデータを送信する送信部とを備え、
前記第１マッピング部は、くしの歯状のスペクトラムを形成するようにマッピングを実行し、
前記第２マッピング部は、少なくともひとつの周波数ブロックの周波数方向の幅と同じ幅のスペクトラムを形成するようにマッピングを実行することを特徴とする移動局。
【請求項２】
前記第２マッピング部は、ふたつ以上の周波数ブロックにデータをマッピングする場合、連続した周波数ブロックを使用することを特徴とする請求項１に記載の移動局。
【請求項３】
前記第１マッピング部は、全システム帯域にわたって制御情報をマッピングすることを特徴とする請求項１または２に記載の移動局。
【請求項４】
複数のサブキャリアを含んだ周波数ブロックが周波数方向に複数配置されることによって、システム帯域が形成されており、システム帯域に制御情報をマッピングするステップと、
システム帯域を形成している複数の周波数ブロックのうちの少なくともひとつに、データをマッピングするステップと、
マッピングした制御情報およびマッピングしたデータを送信するステップとを備え、
前記制御情報をマッピングするステップは、くしの歯状のスペクトラムを形成するようにマッピングを実行し、
前記データをマッピングするステップは、少なくともひとつの周波数ブロックの周波数方向の幅と同じ幅のスペクトラムを形成するようにマッピングを実行することを特徴とする送信方法。
【請求項５】
前記データをマッピングするステップは、ふたつ以上の周波数ブロックにデータをマッピングする場合、連続した周波数ブロックを使用することを特徴とする請求項４に記載の送信方法。
【請求項６】
前記制御情報をマッピングするステップは、全システム帯域にわたって制御情報をマッピングすることを特徴とする請求項４または５に記載の送信方法。
【請求項７】
複数のサブキャリアを含んだ周波数ブロックが周波数方向に複数配置されることによって、システム帯域が形成されており、システム帯域に制御情報をマッピングするとともに、システム帯域を形成している複数の周波数ブロックのうちの少なくともひとつに、データをマッピングし、マッピングした制御情報およびデータを送信する移動局と、
前記移動局からのデータおよび制御情報を受信する基地局とを備え、
前記移動局は、くしの歯状のスペクトラムを形成するように制御情報をマッピングするとともに、少なくともひとつの周波数ブロックの周波数方向の幅と同じ幅のスペクトラムを形成するようにデータをマッピングすることを特徴とする移動無線通信システム。
【手続補正２】
【補正対象書類名】明細書
【補正対象項目名】発明の名称
【補正方法】変更
【補正の内容】
【発明の名称】移動局、送信方法および移動無線通信システム
【手続補正３】
【補正対象書類名】明細書
【補正対象項目名】０００１
【補正方法】変更
【補正の内容】
【０００１】
本発明は、移動局、送信方法および移動無線通信システムに関する。
【手続補正４】
【補正対象書類名】明細書
【補正対象項目名】０００６
【補正方法】変更
【補正の内容】
【０００６】
本発明は上記の点に鑑み提案されたものであり、その目的とするところは、移動無線通信システムの移動機から基地局に向けた上りリンクにおける物理チャネルの無線リソース割り当てを、次世代の移動無線通信システムの環境下で適切に行うことのできる移動局、送信方法および移動無線通信システムを提供することにある。
【手続補正５】
【補正対象書類名】明細書
【補正対象項目名】０００７
【補正方法】変更
【補正の内容】
【０００７】
上記の課題を解決するため、本発明にあっては、請求項１に記載されるように、複数のサブキャリアを含んだ周波数ブロックが周波数方向に複数配置されることによって、システム帯域が形成されており、システム帯域に制御情報をマッピングする第１マッピング部と、システム帯域を形成している複数の周波数ブロックのうちの少なくともひとつに、データをマッピングする第２マッピング部と、前記第１マッピング部においてマッピングした制御情報および前記第２マッピング部においてマッピングしたデータを送信する送信部とを備え、前記第１マッピング部は、くしの歯状のスペクトラムを形成するようにマッピングを実行し、前記第２マッピング部は、少なくともひとつの周波数ブロックの周波数方向の幅と同じ幅のスペクトラムを形成するようにマッピングを実行する移動局を要旨としている。
【手続補正６】
【補正対象書類名】明細書
【補正対象項目名】０００８
【補正方法】変更
【補正の内容】
【０００８】
また、請求項２に記載されるように、前記第２マッピング部は、ふたつ以上の周波数ブロックにデータをマッピングする場合、連続した周波数ブロックを使用するようにすることができる。
【手続補正７】
【補正対象書類名】明細書
【補正対象項目名】０００９
【補正方法】変更
【補正の内容】
【０００９】
また、請求項３に記載されるように、前記第１マッピング部は、全システム帯域にわたって制御情報をマッピングするようにすることができる。
【手続補正８】
【補正対象書類名】明細書
【補正対象項目名】００１０
【補正方法】変更
【補正の内容】
【００１０】
また、請求項４に記載されるように、複数のサブキャリアを含んだ周波数ブロックが周波数方向に複数配置されることによって、システム帯域が形成されており、システム帯域に制御情報をマッピングするステップと、システム帯域を形成している複数の周波数ブロックのうちの少なくともひとつに、データをマッピングするステップと、マッピングした制御情報およびマッピングしたデータを送信するステップとを備え、前記制御情報をマッピングするステップは、くしの歯状のスペクトラムを形成するようにマッピングを実行し、前記データをマッピングするステップは、少なくともひとつの周波数ブロックの周波数方向の幅と同じ幅のスペクトラムを形成するようにマッピングを実行する送信方法として構成することができる。
【手続補正９】
【補正対象書類名】明細書
【補正対象項目名】００１１
【補正方法】変更
【補正の内容】
【００１１】
また、請求項５に記載されるように、前記データをマッピングするステップは、ふたつ以上の周波数ブロックにデータをマッピングする場合、連続した周波数ブロックを使用するようにすることができる。
【手続補正１０】
【補正対象書類名】明細書
【補正対象項目名】００１２
【補正方法】変更
【補正の内容】
【００１２】
また、請求項６に記載されるように、前記制御情報をマッピングするステップは、全システム帯域にわたって制御情報をマッピングするようにすることができる。
【手続補正１１】
【補正対象書類名】明細書
【補正対象項目名】００１３
【補正方法】変更
【補正の内容】
【００１３】
また、請求項７に記載されるように、複数のサブキャリアを含んだ周波数ブロックが周波数方向に複数配置されることによって、システム帯域が形成されており、システム帯域に制御情報をマッピングするとともに、システム帯域を形成している複数の周波数ブロックのうちの少なくともひとつに、データをマッピングし、マッピングした制御情報およびデータを送信する移動局と、前記移動局からのデータおよび制御情報を受信する基地局とを備え、前記移動局は、くしの歯状のスペクトラムを形成するように制御情報をマッピングするとともに、少なくともひとつの周波数ブロックの周波数方向の幅と同じ幅のスペクトラムを形成するようにデータをマッピングする移動無線通信システムとして構成することができる。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】変更
【補正の内容】
【００２７】
本発明の移動局、送信方法および移動無線通信システムにあっては、衝突型のチャネルとスケジューリング型のチャネルとの分離についてのコード分離の非採用、周波数ダイバーシチおよびマルチユーザダイバーシチの有効な適用、パワーランピング技術の非採用、データレートに応じた無線リソースの割り当て等を行うようにしているので、次世代の移動無線通信システムの環境下において、移動無線通信システムの移動機から基地局に向けた上りリンクにおける物理チャネルの無線リソース割り当てを適切に行うことができる。